(57)【要約】【課題】震等の揺れにより作用する荷重をそれぞれのガイドレールが均等に受けることのできるエレベーター装置の提供。【解決手段】ロープを介して駆動され、昇降路内を昇降する昇降体（２）と、昇降路に立設されるガイドレール６と、昇降体（２）取付けられるとともに、ガイドレール６に所定の間隙を介して遊嵌され、昇降体（２）の昇降をガイドレール６に沿って案内するガイドシュー８とを備えたエレベーター装置において、ガイドレール６を、矩形の断面形状を有する昇降体（２）の角部、又は角部近傍に対向するように４本設けるとともに、これらの第１〜第４のガイドレール６ａ〜６ｄが、対角線上に位置するガイドレールと互いに向かい合いように配設し、かつ、第１〜第４のガイドシュー８ａ〜８ｄを、第１〜第４のガイドレール６ａ〜６ｄに対向するように昇降体（２）に斜めに取付けるようにしたものである。【選択図】図１
2010149968.tif 000002
【特許請求の範囲】
【請求項１】
ロープを介して駆動され、昇降路内を昇降する昇降体と、前記昇降路に立設されるガイドレールと、前記昇降体に取付けられるとともに、前記ガイドレールに所定の間隙を介して遊嵌され、前記昇降体の昇降を前記ガイドレールに沿って案内するガイドシューとを備えたエレベーター装置において、
前記ガイドレールが、矩形の断面形状を有する前記昇降体の角部、又は角部近傍に対向するように４本設けられるとともに、これらのガイドレールが、対角線上に位置するガイドレールと互いに向かい合いように配設され、かつ、前記ガイドシューが、前記ガイドレールに対向するように前記昇降体に斜めに取付けられることを特徴としたエレベーター装置。
【発明の詳細な説明】
【技術分野】
【０００１】
本発明は、ガイドレールによって昇降体の昇降を案内するロープ式のエレベーター装置に関する。
【背景技術】
【０００２】
一般に、ロープ式のエレベーター装置にあっては、昇降路内を昇降する昇降体と、昇降路に立設される２本のガイドレールと、昇降体に取付けられるとともに、ガイドレールに所定の間隙を介して遊嵌されるガイドシューとを設け、昇降体の昇降をガイドシューを介して２本のガイドレールよって案内するようになっている。
【０００３】
また、ねじ駆動機構により乗かごを昇降駆動するエレベーター装置にあって、矩形の乗かごの四隅にガイドローラを設けるとともに、これらのガイドローラと対向する位置に４本の縦支柱を立設し、ガイドローラが縦支柱に沿って形成されたローラーガイド溝上を転動しつつ、乗かごの昇降を案内するようにしたものが提案されている（例えば、特許文献１参照）。
【特許文献１】特開２０００−８６１１７（段落番号００２４〜００２９、図１）
【発明の開示】
【発明が解決しようとする課題】
【０００４】
近年の大規模な震災に基づきエレベーター装置における耐震基準の見直し、強化が求められている。ところで、前述した昇降体の両側に立設された２本のガイドレールによって昇降体の昇降を案内する一般的なエレベーター装置では、地震により乗かごの左右方向、すなわち、２本のガイドレールにおける対向方向に揺れが生じた場合、一方のガイドレールに偏って荷重がかかることから、この荷重を前提としてガイドレールのサイズが決定されていた。したがって、比較的大きなサイズのガイドレールが設置されていた。また、地震等による揺れは乗かごの左右方向のみではなく様々な方向に生じるものであり、一方のガイドレールに大きな荷重がかかることでガイドシューがガイドレールから離脱する恐れがあった。
【０００５】
また、４本の縦支柱により乗かごの昇降を案内する後者のものは、ねじ駆動機構により乗かごを昇降駆動するエレベーター装置、すなわち、小規模住宅に設置されるホームエレベータを対象としたものであり、比較的早いかご速度が要求される一般的なロープ式のエレベーター装置を対象にしたものではない。このエレベーター装置は、４本の垂直に配置された縦支柱からなる架台に乗かごを配置する構造上、４本の縦支柱で乗かごの昇降を案内するものとなっているが、ガイドローラを縦支柱に沿って転動させつつ乗かごを案内するものであり、ガイドレールに所定の間隙を介して遊嵌されるガイドシューにより昇降体の昇降を案内するものに適用することは難しかった。
【０００６】
本発明は、前述した従来技術における実状からなされたもので、その目的は、地震等の揺れにより作用する荷重をそれぞれのガイドレールが均等に受けることのできるエレベーター装置を提供することにある。
【課題を解決するための手段】
【０００７】
前記目的を達成するために、本発明の請求項１に係る発明は、ロープを介して駆動され、昇降路内を昇降する昇降体と、前記昇降路に立設されるガイドレールと、前記昇降体に取付けられるとともに、前記ガイドレールに所定の間隙を介して遊嵌され、前記昇降体の昇降を前記ガイドレールに沿って案内するガイドシューとを備えたエレベーター装置において、前記ガイドレールが、矩形の断面形状を有する前記昇降体の角部、又は角部近傍に対向するように４本設けられるとともに、これらのガイドレールが、対角線上に位置するガイドレールと互いに向かい合いように配設され、かつ、前記ガイドシューが、前記ガイドレールに対向するように前記昇降体に斜めに取付けられることを特徴としている。
【０００８】
このように構成した本発明の請求項１に係る発明では、４本のガイドレールの正面が昇降体の中心から略放射状となるように配置されるとともに、ガイドシューが昇降体の四隅にあってガイドレールに対向するように斜めに取付けられていることから、地震等により揺れが生じた場合、荷重は昇降体の四隅に斜めに取付けられたガイドシューを介してそれぞれのガイドレールに作用する。これによって、地震等の揺れにより作用する荷重を４本のガイドレールへ均等に分散させることができる。
【発明の効果】
【０００９】
本発明によれば、地震等の揺れにより作用する荷重を４本のガイドレールへ均等に分散することができ、これによって、１本のガイドレールにかかる荷重が低減し、ガイドレールのサイズを小さなものに抑えることができる。また、揺れによりガイドシューがガイドレールから離脱することを防ぎ、エレベーター装置の安全性を高めることができる。
【発明を実施するための最良の形態】
【００１０】
以下、本発明に係るエレベーター装置の実施の形態を図に基づいて説明する。
【００１１】
図１は本発明に係るエレベーター装置の一実施形態を示す上面図、図２は本実施形態におけるエレベーター装置の全体概略構成図である。
【００１２】
エレベーター装置は、図２に示すように、昇降路１内を昇降する昇降体、すなわち、乗かご２およびつり合いおもり３と、昇降路１上部に形成される機械室１ａに設置される巻上機４と、巻上機４に巻き掛けられるとともに、一端が乗かご２、他端がつり合いおもり３に接続されるロープ５と、昇降路１に立設され、乗かご２の昇降を案内するかご用ガイドレール６と、昇降路１に立設され、つり合いおもり３の昇降を案内するつり合いおもり用ガイドレール７とを備えている。
【００１３】
そして、本実施形態のエレベーター装置は、図１および図２に示すように、かご用ガイドレール６が、矩形の断面形状を有する乗かご２の奥行き側角部に対向するように配置される第１のかご用ガイドレール６ａ、第２のかご用ガイドレール６ｂ、および乗かご２の手前側角部近傍に対向するように配置される第３のかご用ガイドレール６ｃ、第４のかご用ガイドレール６ｄとして、計４本設けられるとともに、これらの第１〜第４のかご用ガイドレール６ａ〜６ｄが、対角線上に位置するかご用ガイドレールと互いに向かい合いように配設されている。
【００１４】
また、乗かご２には、それぞれの第１〜第４のかご用ガイドレール６ａ〜６ｄに対向する位置に取付けられるとともに、対応する第１〜第４のかご用ガイドレール６ａ〜６ｄに所定の間隙を介して遊嵌され、乗かご２の昇降を第１〜第４のかご用ガイドレール６ａ〜６ｄに沿って案内する第１のガイドシュー８ａ、第２のガイドシュー８ｂ、第３のガイドシュー８ｃ、第４のガイドシュー８ｄが備えられている。
【００１５】
本実施形態にあっては、地震等によりエレベーター装置が設置される建屋が図１中左方向に振れると、ロープ５により吊下された乗かご２の荷重は矢印Ａ方向に作用する。このとき、第１〜第４のかご用ガイドレール６ａ〜６ｄの正面が乗かご２の中心から略放射状となるように配置されるとともに、第１〜第４のガイドシュー８ａ〜８ｄが乗かご２の四隅にあって第１〜第４のかご用ガイドレール６ａ〜６ｄに対向するように斜めに取付けられていることから、荷重は第１〜第４のガイドシュー８ａ〜８ｄを介してそれぞれの第１〜第４のかご用ガイドレール６ａ〜６ｄに作用する。これによって、地震の揺れにより作用する荷重を４本のかご用ガイドレール６へ均等に分散させることができる。
【００１６】
本実施形態によれば、地震等の揺れにより作用する荷重を４本のかご用ガイドレール６へ均等に分散することができ、これによって、１本のガイドレールにかかる荷重が低減し、ガイドレールのサイズを小さなものに抑えることができる。また、揺れにより第１〜第４のガイドシュー８ａ〜８ｄが第１〜第４のかご用ガイドレール６ａ〜６ｄから離脱することを防ぎ、エレベーター装置の安全性を高めることができる。
【図面の簡単な説明】
【００１７】
【図１】本発明に係るエレベーター装置の一実施形態を示す上面図である。
【図２】本実施形態におけるエレベーター装置の全体概略構成図である。
【符号の説明】
【００１８】
１  昇降路
２  乗かご
３  つり合いおもり
４  巻上機
５  ロープ
６ａ〜６ｄ  第１〜第４のかご用ガイドレール
７  つり合いおもり用ガイドレール
８ａ〜８ｄ  第１〜第４のガイドシュー
【図１】
2010149968.tif 000003
【図２】
2010149968.tif 000004